(57)【要約】設定可能なデータレートを有するビデオデータストリーム（ＶＤＳａ〜ＶＤＳｆ）を生成可能な複数のビデオカメラ（３ａ〜３ｆ）を備えるビデオカメラシステム（２）のデータレート（ＤＲａ〜ＤＲｆ）を設定する設定デバイスであって、前記ビデオデータストリーム（ＶＤＳａ〜ＶＤＳｆ）は、データネットワーク（４）を介してユーザー端末に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、前記設定デバイス（１）は、前記ビデオデータストリーム（ＶＤＳａ〜ＶＤＳｆ）のデータレート（ＤＲａ〜ＤＲｆ）を設定するための設定値（ＥＷａ〜ＥＷｆ）を生成して、前記設定値（ＥＷａ〜ＥＷｆ）をビデオカメラ（３ａ〜３ｆ）へ送信するように構成され、前記設定値（ＥＷａ〜ＥＷｆ）は、ビデオ（Ｖａ又はＶｂ）の選択情報（ＩＮ）についての関数、前記ビデオカメラ（３ａ〜３ｆ）の台数（ＡＺ）についての関数、及び、前記データネットワーク（４）の利用可能な合計データレート（ＧＤＲ）についての関数として生成されることを特徴とするビデオカメラシステム。【選択図】図１
2017535172.tif 000002
【特許請求の範囲】
【請求項１】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えるビデオカメラシステム（２）のデータレート（ＤＲａ〜ＤＲｆ）を設定する設定デバイスであって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、前記設定デバイス（１）は、前記ビデオデータストリーム（ＶＤＳａ〜ＶＤＳｆ）のデータレート（ＤＲａ〜ＤＲｆ）を設定するための設定値（ＥＷａ〜ＥＷｆ）を生成して、前記設定値（ＥＷａ〜ＥＷｆ）をビデオカメラ（３ａ〜３ｆ）へ送信するように構成され、前記設定値（ＥＷａ〜ＥＷｆ）は、ビデオ（Ｖａ又はＶｂ）の選択情報（ＩＮ）についての関数、前記ビデオカメラ（３ａ〜３ｆ）の台数（ＡＺ）についての関数、及び、前記データネットワーク（４）の利用可能な合計データレート（ＧＤＲ）についての関数として生成されることを特徴とする設定デバイス。
【請求項２】
前記設定デバイス（１）は、データネットワーク（４）を介して前記設定値（ＥＷａ〜ＥＷｆ）の送信を行うように構成されていることを特徴とする前の請求項に記載の設定デバイス。
【請求項３】
前記データネットワーク（４）は、ＷＬＡＮ  （４）であることを特徴とする前の請求項の何れかに記載の設定デバイス。
【請求項４】
前記設定デバイス（１）は、前記データネットワーク（４）の利用可能な合計データレート（ＧＤＲ）が経時的に検出可能であり、利用可能な合計データレート（ＧＤＲ）が変化すると、自動的に設定値（ＥＷａ〜ＥＷｆ）が適応するように構成されていることを特徴とする前の請求項の何れかに記載の設定デバイス。
【請求項５】
前記設定デバイス（１）は前記ビデオカメラ（３ａ−３ｆ）を共通の時間基準に同期させるように構成されていることを特徴とする前の請求項の何れかに記載の設定デバイス。
【請求項６】
前記設定デバイス（１）は、前回の選択ビデオ（Ｖａ）から新たな選択ビデオ（Ｖｂ）へ切り替える処理（ＷＶ）において、第一段階（ＰＨ１）では、前回の選択ビデオ（Ｖａ）に関して前記ビデオデータストリーム（ＶＤＳａ）のデータレート（ＤＲａ）が維持され、新たな選択ビデオ（Ｖｂ）に関して前記ビデオデータストリーム（ＶＤＳｂ）のデータレート（ＤＲｂ）が上昇し、残りのビデオ（Ｖｃ〜Ｖｆ）に関して前記ビデオデータストリーム（ＶＤＳｃ〜ＶＤＳｆ）のデータレート（ＤＲｃ〜ＤＲｆ）が減少し、第二段階（ＰＨ２）では、前回の選択ビデオ（Ｖａ）に関してビデオデータストリーム（ＶＤＳａ）のデータレート（ＤＲａ）が減少し、新たな選択ビデオ（Ｖｂ）に関して前記ビデオデータストリーム（ＶＤＳｂ）のデータレート（ＤＲｂ）が維持され、残りのビデオ（Ｖｃ〜Ｖｆ）に関して前記ビデオデータストリーム（ＶＤＳｃ〜ＶＤＳｆ）のデータレート（ＤＲｃ〜ＤＲｆ）が上昇するように設定値（ＥＷａ〜ＥＷｆ）を生成することを特徴とする前の請求項の何れかに記載の設定デバイス。
【請求項７】
前記設定デバイス（１）は、前回の選択ビデオ（Ｖａ）から新たな選択ビデオ（Ｖｂ）へ切り替える処理（ＷＶ）において、第一段階（ＰＨ１）では、新たな選択ビデオ（Ｖｂ）に関してビデオデータストリーム（ＶＤＳｂ）のデータレート（ＤＲｂ）が複数段階かけて上昇し、残りのビデオ（Ｖｃ〜Ｖｆ）に関してビデオデータストリーム（ＶＤＳｃ〜ＶＤＳｆ）のデータレート（ＤＲｃ〜ＤＲｆ）が複数段階かけて減少し、第二段階（ＰＨ２）では、前回の選択ビデオ（Ｖａ）に関してビデオデータストリーム（ＶＤＳａ）のデータレート（ＤＲａ）が複数段階かけて減少し、残りのビデオ（Ｖｃ〜Ｖｆ）に関してビデオデータストリーム（ＶＤＳｃ〜ＶＤＳｆ）のデータレート（ＤＲｃ〜ＤＲｆ）が複数段階かけて上昇するように、設定値（ＥＷａ〜ＥＷｆ）を生成するように構成されていることを特徴とする前の請求項の何れかに記載の設定デバイス。
【請求項８】
前記設定デバイス（１）は、ビデオストリーム（ＶＤＳａ〜ＶＤＳｆ）全てのデータレート（ＤＲａ〜ＤＲｆ）の合計が、データネットワーク（４）の利用可能な合計データレート（ＧＤＲ）以下となるように、第一段階（ＰＨ１）及び第二段階（ＰＨ２）の両方における、設定値（ＥＷａ〜ＥＷｆ）を生成するように構成されていることを特徴とする請求項６又は７に記載の設定デバイス。
【請求項９】
前記設定デバイス（１）は、前記残りのビデオ（Ｖｃ〜Ｖｆ）に関するビデオデータストリーム（ＶＤＳｃ〜ＶＤＳｆ）のデータレート（ＤＲｃ〜ＤＲｆ）が、第一段階（ＰＨ１）において、ゼロとなるように、設定値（ＥＷａ〜ＥＷｆ）を生成するように構成されていることを特徴とする請求項６〜８に記載の設定デバイス。
【請求項１０】
前記設定デバイス（１）は、選択されているビデオ（Ｖａ又はＶｂ）のビデオカメラ（３ａ又は３ｂ）に関する設定値（ＥＷａ又はＥＷｂ）が、利用可能な合計データレート（ＧＤＲ）の半分以下となるように、定常稼働状態（ＳＢＺ１又はＳＢＺ２）における設定値（ＥＷａ〜ＥＷｆ）を生成するように構成されていることを特徴とする前の請求項のいずれかに記載の設定デバイス。
【請求項１１】
前記設定デバイス（１）は、選択されているビデオ（Ｖａ又はＶｂ）のビデオカメラ（３ａ又は３ｂ）に関する設定値（ＥＷａ又はＥＷｂ）が、そのビデオカメラ（３ａ又は３ｂ）のビデオストリーム（ＶＤＳａ又はＶＤＳｂ）の最大データレートが利用可能な合計データレート（ＧＤＲ）の半分以下である限り、当該最大データレートとなるように、定常稼働状態（ＳＢＺ１又はＳＢＺ２）における設定値（ＥＷａ〜ＥＷｆ）を生成するように構成されていることを特徴とする前の請求項のいずれかに記載の設定デバイス。
【請求項１２】
前記設定デバイス（１）は、前記残りのビデオ（Ｖｃ〜Ｖｆ）に関するビデオデータストリーム（ＶＤＳｃ〜ＶＤＳｆ）のデータレート（ＤＲｃ〜ＤＲｆ）が、前記第一段階（ＰＨ１）において、ビデオカメラ（３ｃ−３ｆ）のビデオデータストリーム（ＶＤＳｃ〜ＶＤＳｆ）の最小データレートまで減少するように設定値（ＥＷａ〜ＥＷｆ）を生成するように構成されていることを特徴とする請求項６〜８に記載の設定デバイス。
【請求項１３】
前記設定デバイス（１）は、選択されているビデオ（Ｖａ又はＶｂ）のビデオカメラ（３ａ又は３ｂ）に関する設定値（ＥＷａ又はＥＷｂ）が、利用可能な合計データレート（ＧＤＲ）の半分と、前記ビデオカメラ（３ａ又は３ｂ）のビデオストリームの最小データレートの半分に対して、現在のビデオカメラ（３ａ〜３ｆ）の合計台数（ＡＺ）から二を引いた数を乗算した積との間の差分以下となるように、定常稼働状態（ＳＢＺ１又はＳＢＺ２）における設定値（ＥＷａ〜ＥＷｆ）を生成するように構成されていることを特徴とする前の請求項の何れかに記載の設定デバイス。
【請求項１４】
前記設定デバイス（１）は、選択されているビデオ（Ｖａ又はＶｂ）におけるビデオストリーム（ＶＤＳａ又はＶＤＳｂ）の最大データレートが、利用可能な合計データレート（ＧＤＲ）の半分と、前記複数のビデオカメラ（３ａ〜３ｆ）のビデオデータストリーム（ＶＤＳａ又はＶＤＳｆ）の最小データレートの半分に対して、現在のビデオカメラ（３ａ、３ｆ）の合計台数（ＡＺ）から二を引いた数を乗算した積との間の差分以下となる限り、選択されているビデオのビデオカメラ（３ａ又は３ｂ）に関する設定値（ＥＷａ又はＥＷｂ）が、当該最大データレートとなるように、定常稼働状態（ＳＢＺ１）又は（ＳＢＺ２）における設定値（ＥＷａ〜ＥＷｆ）を生成するように構成されていることを特徴とする前の請求項の何れかに記載の設定デバイス。
【請求項１５】
前記設定デバイス（１）は、非選択ビデオカメラ（３ｂ−３ｆ又は３ａ、３ｃ−３ｆ）の設定値が、利用可能な合計データレート（ＧＤＲ）と選択されたビデオ（Ｖａ及びＶｂ）のビデオカメラ（３ａ又は３ｂ）の設定値（ＥＷａ又はＥＷｂ）との差分を、現在のビデオカメラ（３ａ〜３ｆ）の合計台数（ＡＺ）から一引いた数で除算した商以下となるように、定常稼働状態（ＳＢＺ１又はＳＢＺ２）における設定値（ＥＷａ〜ＥＷｆ）を生成するように構成されていることを特徴とする前の請求項の何れかに記載の設定デバイス。
【請求項１６】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えたビデオカメラシステムであって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、前記ビデオカメラシステム（２）は、前記ビデオデータストリーム（ＶＤＳａ〜ＶＤＳｆ）のデータレート（ＤＲａ〜ＤＲｆ）を設定するための設定値（ＥＷａ〜ＥＷｆ）を生成し、前記設定値（ＥＷａ〜ＥＷｆ）をビデオカメラ（３ａ〜３ｆ）へ送信するように構成された設定デバイス（１）をさらに備えており、前記設定値（ＥＷａ〜ＥＷｆ）は、ビデオ（Ｖａ又はＶｂ）の選択情報（ＩＮ）についての関数、前記ビデオカメラ（３ａ〜３ｆ）の台数（ＡＺ）についての関数、及び、前記データネットワーク（４）の利用可能な合計データレート（ＧＤＲ）についての関数として生成されることを特徴とするビデオカメラシステム。
【請求項１７】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えるビデオカメラシステム（２）のデータレート（ＤＲａ〜ＤＲｆ）の設定方法であって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、設定デバイス（１）を利用して前記ビデオデータストリーム（ＶＤＳａ〜ＶＤＳｆ）のデータレート（ＤＲａ〜ＤＲｆ）を設定するための設定値（ＥＷａ〜ＥＷｆ）を生成し、前記設定値（ＥＷａ〜ＥＷｆ）をビデオカメラ（３ａ〜３ｆ）へ送信し、前記設定値（ＥＷａ〜ＥＷｆ）は、ビデオ（Ｖａ又はＶｂ）の選択情報（ＩＮ）についての関数、現在のビデオカメラ（３ａ〜３ｆ）の台数（ＡＺ）の関数、及び、前記データネットワーク（４）の利用可能な合計データレート（ＧＤＲ）の関数として生成されることを特徴とするデータレートの設定方法。
【請求項１８】
コンピュータ又はプロセッサ上で実行されると、前の請求項に記載の方法を行うコンピュータプログラム。
【発明の詳細な説明】
【技術分野】
【０００１】
本発明は、ビデオデータストリームに基づいて複数のビデオを同時に表示可能に構成されたユーザー端末に、データネットワークを介して、特にリアルタイムでビデオデータストリームを伝送するビデオカメラを複数台数備えたビデオカメラシステムにおける、データレートの設定に関する。さらに、前記複数のビデオから表示するビデオを選択可能であり、選択されているビデオ（以下、選択ビデオ）は、選択されていないビデオ（非選択ビデオ）より高品質に出力可能である。
【背景技術】
【０００２】
ビデオカメラの台数が増加するにつれ、ビデオカメラに要求される合計データレート、ひいては、伝送チャネルへの作業負荷も必然的に増加する。具体的には、一般的な無線ＬＡＮ（ＷＬＡＮ）規格に準拠する無線伝送において、合計データレートが最大でも３２  Ｍｂｉｔ／秒  （８０２．１１ａ／ｈ／ｊ）(参考文献［１］)の場合がある。前記３２Ｍｂｉｔ／秒のうち、２９Ｍｂｉｔ／秒がビデオカメラシステムに予約されているためビデオカメラの最大数は、ビデオストリームのビットレート１０Ｍｂｉｔ／秒で、２台に限定される。ビデオカメラの台数が増えるほど、データレートは１０Ｍｂｉｔ／秒の値より下がっていく。従って、カメラが６台ある場合、個々のビデオデータストリームに対してそれぞれたったの４．８  Ｍｂｉｔ／秒にしかならない。
【０００３】
データレートを適応させながら、データネットワークを介してビデオデータストリームを伝送する先行技術が知られている。
【０００４】
参考文献［２］及び［５］には、ビデオ信号を異なるデータレートでコード化し、幾つかのファイルとしてサーバーに保存する方法が開示されている。そして異なるファイルのブロックを、現在利用可能なデータレートの関数（ｆｕｎｃｔｉｏｎ）として、ユーザー端末に伝送する。しかし、この方法はリアルタイムで行うことができない。
【０００５】
更に、参考文献［３］には、無線ネットワークにおけるビデオ伝送の、ビットレート、フレームレート、及び、再試行レートを適応させる方法が開示されている。この方法では、現在のネットワーク帯域幅に関する情報の取得、及び、当該情報を用いた上述のパラメータの変更が関わってくる。
【０００６】
更に、参考文献［４］には、所謂ＲＴＣＰレート制御方法が開示されている。これは、パケットの損失等について受信機が送信機に通知できるようにしたフィードバックの仕組みである。その後、伝送パラメータを、前記送信機によって適応させることができる。加えて、参考文献［４］には、ネットワーク状況を評価し、評価した値に基づいてビデオ／オーディオデータストリームのデータレートを変更するビットレートマネージャーが開示されている。
【０００７】
しかし、既知の方法は分散型のビデオカメラシステムには容易に適用できない。
【０００８】
従って、本発明の目的は、複数のビデオカメラを含むビデオカメラシステムのデータネットワークにおけるデータレートの設定について、改善された概念を提供することにある。
【発明の概要】
【課題を解決するための手段】
【０００９】
上記目的を達成するために、本願発明は、設定可能なデータレートを有するビデオデータストリームを生成可能な複数のビデオカメラを備えるビデオカメラシステムのデータレートを設定する設定デバイスであって、前記ビデオデータストリームは、データネットワークを介してユーザー端末に配信され、前記ユーザー端末において、前記ビデオデータストリームに基づく複数のビデオが同時に出力され、定常稼働状態（ｓｔａｔｉｏｎａｒｙ  ｏｐｅｒａｔｉｎｇ  ｓｔａｔｅ）において、前記複数のビデオから或るビデオが選択され、選択ビデオは、非選択ビデオよりも高品質で出力され、前記設定デバイスは、前記ビデオデータストリームのデータレートを設定するための設定値を生成して、前記設定値を前記複数のビデオカメラへ送信するように構成され、前記設定値は、ビデオの選択情報についての関数（ｆｕｎｃｔｉｏｎ）、現在の前記ビデオカメラの台数についての関数（ｆｕｎｃｔｉｏｎ）、及び、前記データネットワークの利用可能な合計データレートについての関数（ｆｕｎｃｔｉｏｎ）として生成されることを特徴とする。
【００１０】
前記ビデオカメラは、所謂ウェブカメラであってもよく、具体的には統合されたビデオエンコーダを有するものであってもよい。それぞれのビデオエンコーダは、具体的には、Ｈ．２６３／Ｈ．２６４／Ｈ．２６５の規格に基づく圧縮ビデオデータストリームを生成してもよい。前記データネットワークは、具体的には、インターネットプロトコルに基づくネットワークであってもよい。
【００１１】
前記ユーザー端末は、具体的には、コンピュータであってもよく、例えばパーソナルコンピュータ又はタブレット型コンピュータであってもよい。
【００１２】
前記ユーザー端末は、前記ビデオデータストリームを復号化するための復号手段を備えていてもよい。
【００１３】
前記複数のビデオは、共有ディスプレイに表示されてもよく、具体的には、コンピュータ画面に表示されてもよい。しかし、前記ユーザー端末は、前記ビデオが記憶及び／又は転送されることにより出力されるように構成されていてもよい。前記復号手段は、ビデオ信号によって前記ディスプレイを制御するように構成されていてもよい。
【００１４】
複数のビデオから、非選択ビデオよりも高品質で出力、つまり、高品質で表示、記憶および／または転送されるビデオが、全ての場合において選択されてもよい。前記高品質は、大量のピクセル数、色の数の多さ、及び／又は、高いリフレッシュレートによって実現してもよい。ここで、定常稼働状態は、選択ビデオの切り替えが行われていない稼動状態を意味する。
【００１５】
選択ビデオの特定は、例えば、ユーザーインターフェース、具体的にはコンピュータキーボードでのユーザーアクションによって行われてもよい。前記ユーザーインターフェースから操作コマンドが、前記復号手段に送信されて、選択ビデオを特定するようにしてもよい。しかし、ユーザー端末が自動で選択ビデオを判断するように構成することも可能である。例えば、選択ビデオの判断を定期的に更新してもよく、イベント駆動的に行ってもよい。これは、無作為に発生してもよく、所定のパターンにもとづいて発生させてもよい。
【００１６】
前記データネットワークにおける利用可能な合計データレートは、前記ビデオデータストリーム用に利用可能なデータレートを全て纏めたものである。これは、前記データネットワークがビデオカメラシステム専用で使用されている間は一定だが、前記データネットワークを介して、前記ビデオカメラシステムとは独立してデータが送信される場合に変化する。
【００１７】
前記設定デバイスは、ハードウェア、及び／又は、ソフトウェアとして構成されてもよい。また、前記設定デバイスは、特にユーザー端末に統合されていてもよい。設定デバイスを別のところに設けることも可能である。しかし、前記設定デバイスは、ビデオデータストリームのデータレートに関して設定値を生成、具体的には、当該設定値を算出可能であり、当該設定値をビデオカメラに送信可能であることが必須となる。
【００１８】
これにより、前記設定デバイスは前記複数のビデオに関して、ビデオデータストリームのデータレートを状況に合わせて適応させることができる。特に、選択ビデオのビデオデータストリームのデータレートは、選択ビデオに求められる高品質を確保するのに充分なデータレートが選択されてもよい。同時に、非選択ビデオに関してビデオデータストリームのデータレートを低く選択してもよい。ビデオの選択情報についての関数、前記ビデオカメラの台数についての関数、前記データネットワークの利用可能な合計データレートについての関数として、設定値を生成することにより、データネットワークの利用可能な合計データレートを特に効率的に利用することが可能になる。ビデオの選択情報、及び、現在のビデオカメラの台数は、例えば復号手段から設定デバイスへ送信されてもよい。
【００１９】
このことから明らかなように、ビデオデータストリームの全てに同一のデータレートが設定される場合と比較して、ネットワークの合計データレートでのビデオカメラの台数を増やすことが可能となる。更に、選択ビデオは、常に高品質で出力可能である。一方、非選択ビデオについては、ユーザーがどのビデオを選択ビデオとして使用するかを決められるように、プレビュービデオとして使用できる程度の品質で出力してもよい。
【００２０】
本発明は、交通状況の監視、公共の場の監視や、スポーツイベントの送信などに利用されるビデオカメラシステムのように、リアルタイムで使用可能なビデオカメラシステムに適している。
【００２１】
さらに、本発明の好ましいさらなる発展形態では、前記設定デバイスは前記設定値がデータネットワークを介して送信されるように構成されている。これにより、既存のインフラを利用して設定値を送信することが可能になり、前記ビデオカメラシステムが容易に実現可能となる。しかし、原理上、別の方法で前記設定デバイスから前記設定値をビデオカメラに送信することも可能である。
【００２２】
さらに、本発明の好ましい発展形態において、前記データネットワークはＷＬＡＮである。ＷＬＡＮ（Ｗｉｒｅｌｅｓｓ  Ｌｏｃａｌ  Ａｒｅａ  Ｎｅｔｗｏｒｋ）は、例えば、ＩＥＥＥ−８０２．１１系規格に準拠する無線ローカルエリア・ネットワークである。これにより、前記ビデオカメラシステムをインストールする際に、データ送信するための高額なケーブルを不要とすることができる。ＷＬＡＮの合計データレートは限られているものの、本発明によれば複数のビデオカメラの利用が可能になり、選択ビデオが高品質で表示可能になる。
【００２３】
さらに、本発明の有益な発展形態において、前記設定デバイスは、前記データネットワークにおける利用可能な合計データレートが経時的に検出可能であり、利用可能な合計データレートが変化すると、自動的に設定値が適応するように構成されている。前記設定値を利用可能な合計データレートに自動で適応させることにより、利用可能な合計データレートを超えてしまうことによりビデオの表示が妨げられることを防止でき、これによりビデオを常に、可能な限り最良の品質で表示することが可能となる。これを達成すべく、前記ユーザー端末は、前記データネットワークから、利用可能な合計データレートに対応する分析信号を受信して、利用可能な合計データレートを監視する手段を備えていてもよい。
【００２４】
さらに、本発明の有益な発展形態において、前記設定デバイスは前記ビデオカメラを共通の時間基準に同期させるように構成されていてもよい。このようにすることで、ビデオカメラは特定の期間提供される設定値を同時に利用でき、設定値を適応させる際に利用可能な合計データレートを超えないようにすることが可能となる。
【００２５】
さらに、本発明の好ましい発展形態において、前記設定デバイスは、前回の選択ビデオから新たな選択ビデオへ切り替える処理において、第一段階では、前回の選択ビデオに関して前記ビデオデータストリームのデータレートが維持され、新たな選択ビデオに関して前記ビデオデータストリームのデータレートが上昇し、残りのビデオに関して前記ビデオデータストリームのデータレートが減少し、第二段階では、前回の選択ビデオに関してビデオデータストリームのデータレートが減少し、新たな選択ビデオに関して前記ビデオデータストリームのデータレートが維持され、残りのビデオに関して前記ビデオデータストリームのデータレートが上昇するように設定値を生成することを特徴とする。
【００２６】
本発明の上記実施形態において、最も重要な点は、定常状態から、前記第一段階において、新たな選択ビデオに関するビデオデータストリームのデータレートを上昇させ、前記第一段階の終わりに、前記新たな選択ビデオを、ユーザー端末において新たな選択ビデオとして設定することである。また、第二段階において、設定値を新たな定常状態に渡す。このようにして、前回の選択ビデオから新たな選択ビデオに切り替えられた直後に、前記新たな選択ビデオが高品質で表示可能となる。残りのビデオ、即ち、切り替えや変更の処理に関係の無いビデオに関するビデオデータストリームのデータレートを減少させることにより、前記第一段階において、実際に要求されるデータレートが利用可能な合計データレートを上回ることなく、前記新たな選択ビデオに関するビデオデータストリームのデータレートを上昇させることが可能になる。前回の選択ビデオのデータレートを減少させることにより、第二段階において、残りのビデオに関する前記ビデオデータストリームのデータレートを再度上昇させて、これらのビデオも可能な限り高品質で表示可能となる。
【００２７】
さらに、本発明の好ましい発展形態において、前記設定デバイスは、前回の選択ビデオから新たな選択ビデオへ切り替える処理において、第一段階では、新たな選択ビデオに関してビデオデータストリームのデータレートが複数段階かけて上昇し、残りのビデオに関してビデオデータストリームのデータレートが複数段階かけて減少し、第二段階では、前回の選択ビデオに関してビデオデータストリームのデータレートが複数段階かけて減少し、残りのビデオに関してビデオデータストリームのデータレートが複数段階かけて上昇するように、設定値を生成するように構成されていることを特徴とする。これにより、前記残りのビデオの表示品質は、切替処理までゆっくりと減少させられ、切替処理の後ゆっくりと上昇させられる。従って、残りのビデオの表示は人の目にとってより快適となる。
【００２８】
さらに、本発明の好ましい発展形態において、前記設定デバイスは、ビデオストリーム全てのデータレートの合計が、データネットワークの利用可能な合計データレート以下となるように、第一段階及び第二段階の両方において、設定値を生成するように構成されていることを特徴とする。このようにして、例えばジッタや静止画等、ビデオの再生が妨げられることを回避することが可能となる。
【００２９】
さらに、本発明の好ましい発展形態において、前記設定デバイスは、残りのビデオに関するビデオデータストリームのデータレートが、第一段階において、ゼロとなるように、設定値を生成するように構成されていることを特徴とする。これにより、利用可能な合計データレートを超えること無く、前回の選択ビデオ及び新たな選択ビデオに利用可能なデータレートを最大化することが可能となる。
【００３０】
さらに、本発明の好ましい発展形態において、前記設定デバイスは、選択されているビデオのビデオカメラに関する設定値が、利用可能な合計データレートの半分以下となるように、定常稼働状態における設定値を生成するように構成されていることを特徴とする。これによって、切替処理において、前回の選択ビデオ及び新たな選択ビデオを、前回の選択ビデオが先行する定常状態で送信されていた際のデータレートで同時に送信することが可能となるので、前回の選択ビデオから新たな選択ビデオへの切替処理において、前記ビデオの表示品質が大きく変わることがなくなる。この場合、選択ビデオに関するビデオデータストリームのデータレートをｈとし、データネットワークの利用可能な合計データレートをＤとすると、以下の式が適用される。
【００３１】
【数１】
2017535172.tif 000003
【００３２】
さらに、本発明の好ましい発展形態において、前記設定デバイスは、選択されているビデオのビデオカメラに関する設定値が、そのビデオカメラのビデオストリームの最大データレートが利用可能な合計データレートの半分以下である限り、当該最大データレートとなるように、定常稼働状態における設定値を生成するように構成されていることを特徴とする。前記ビデオカメラのビデオデータストリームの前記最大データレートは、技術的に前記ビデオカメラが供給しうる限界となるデータレートである。これにより、選択ビデオは可能な限り最良の品質で表示可能となる。ビデオカメラのビデオストリームの最大データレートがｈmaxとした場合、以下の式が適用される。
【００３３】
【数２】
2017535172.tif 000004
【００３４】
さらに、本発明の好ましい発展形態において、前記設定デバイスは、残りのビデオに関するビデオデータストリームのデータレートが、前記第一段階において、ビデオカメラのビデオデータストリームの最小データレートまで減少するように設定値を生成するように構成されていることを特徴とする。前記ビデオデータストリームの前記最小データレートは、技術的に前記ビデオカメラが供給しうる限界となる最小データレートである。これにより、一方では残りのビデオが、切替処理の間途切れることなく表示され、もう一方では前回の選択ビデオ及び新たな選択ビデオに関するビデオデータストリームのデータレートを最大化することが可能となる。非選択ビデオカメラのデータレートをｐとし、前記ビデオカメラの最小データレートをｐminとした場合、以下の式が適用される。
【００３５】
【数３】
2017535172.tif 000005
【００３６】
さらに、本発明の好ましい発展形態において、前記設定デバイスは、選択されているビデオのビデオカメラに関する設定値が、利用可能な合計データレートの半分と、前記複数のビデオカメラのビデオストリームの最小データレートの半分に対して、現在のビデオカメラの合計台数から二を引いた数を乗算した積との間の差分以下となるように、定常稼働状態における設定値を生成するように構成されていることを特徴とする。これにより、前記切替処理の間に残りのビデオを途切れることなく表示させる場合に、前記切替処理の合計データレートを上回ることを確実に防止できる。使用されるビデオカメラの合計数をｎとすると、以下の式が適用される。
【００３７】
【数４】
2017535172.tif 000006
【００３８】
さらに、本発明の好ましい発展形態において、前記設定デバイスは、選択されているビデオのビデオカメラにおけるビデオストリームの最大データレートが、利用可能な合計データレートの半分と、前記複数のビデオカメラのビデオデータストリームの最小データレートの半分に対して、現在のビデオカメラの合計台数から二を引いた数を乗算した積との間の差分以下となる限り、選択されているビデオのビデオカメラに関する設定値が、当該最大データレートとなるように、定常稼働状態における設定値を生成するように構成されていることを特徴とする。これにより、切替処理において、選択ビデオの品質を最大化するとともに、利用可能な合計データレートを上回ることなく、残りのビデオを途切れることなく表示することが可能となる。以下の式が適用される。
【００３９】
【数５】
2017535172.tif 000007
【００４０】
さらに、本発明の好ましい発展形態において、前記設定デバイスは、非選択ビデオカメラの設定値が、利用可能な合計データレートと選択されたビデオのビデオカメラの設定値との間の差分を、現在のビデオカメラの合計台数から一引いた数で除算した商以下となるように、定常稼働状態における設定値を生成するように構成されていることを特徴とする。これにより、非選択ビデオが、利用可能な合計データレートを上回ることなく、可能な限り最良の品質で出力可能となる。非選択ビデオカメラのデータレートをｐとした場合、以下の式が適用される。
【００４１】
【数６】
2017535172.tif 000008
【００４２】
また、上記目的を達成するために、本発明は、設定可能なデータレートを有するビデオデータストリームを生成可能な複数のビデオカメラを備えたビデオカメラシステムであって、前記ビデオデータストリームは、データネットワークを介してユーザー端末に配信され、前記ユーザー端末において、前記ビデオデータストリームに基づく複数のビデオが同時に出力され、定常稼働状態において、前記複数のビデオから或るビデオが選択され、選択ビデオは、非選択ビデオよりも高品質で出力され、前記ビデオカメラシステムは、前記ビデオデータストリームのデータレートを設定するための設定値を生成し、前記設定値を複数のビデオカメラへ送信するように構成された設定デバイスをさらに備えており、前記設定値は、ビデオの選択情報についての関数、前記ビデオカメラの台数についての関数、及び、前記データネットワークの利用可能な合計データレートについての関数として生成されることを特徴とする。これにより上記設定デバイスで説明した効果を得られる。
【００４３】
また、上記目的を達成するために、本発明は、設定可能なデータレートを有するビデオデータストリームを生成可能な複数のビデオカメラを備えるビデオカメラシステムのデータレートの設定方法であって、前記ビデオデータストリームは、データネットワークを介してユーザー端末に配信され、前記ユーザー端末において、前記ビデオデータストリームに基づく複数のビデオが同時に出力され、定常稼働状態において、前記複数のビデオから或るビデオが選択され、選択ビデオは、非選択ビデオよりも高品質で出力され、設定デバイスを利用して前記ビデオデータストリームのデータレートを設定するための設定値を生成し、前記設定値を複数のビデオカメラへ送信し、前記設定値は、ビデオの選択情報についての関数、現在のビデオカメラの台数の関数、及び、前記データネットワークの利用可能な合計データレートの関数として生成されることを特徴とする。これにより上記設定デバイスで説明した効果を得られる。
【００４４】
また、上記目的は、コンピュータ又はプロセッサ上で実行されると、前述の本発明の方法を行うコンピュータプログラムによって達成される。
【００４５】
本発明とその効果について、図面を参照しつつより詳細に説明する。
【図面の簡単な説明】
【００４６】
【図１】ビデオカメラシステムにおける設定デバイスの実施形態を示す概略図である。
【図２】前回選択したビデオから新たに選択したビデオに切り替え、残りのビデオは短時間オフにする処理を含む設定デバイスの操作手順の第一実施形態を示す図である。
【図３】前回選択ビデオから新たな選択ビデオに切り替え、残りのビデオが中断されること無く表示される処理を含む設定デバイスの操作手順の第二実施形態を示す図である。
【発明を実施するための形態】
【００４７】
以下において、同一の要素、同一の又は同等の機能を有する要素については、同一の又は類似する参照符号を付与する。
【００４８】
以下の説明において、本発明の理解を深めるために、本発明の特徴を有する実施形態について詳細に記載する。しかし、以下に記載される主要な要素を個別に省略しても本発明は実施可能である点に留意されたい。また、各種実施形態における主要な要素は、明確に除外する旨記載がある場合、或いは、相反する効果を生ずる場合を除いて、異なる態様の組み合わせが可能である。
【００４９】
図１には、ビデオカメラシステム２におけるデータレートＤＲａ〜ＤＲｆ（図２及び図３参照）を設定するための設定デバイス１の実施形態が示されており、ビデオカメラシステム２は、設定可能なデータレートＤＲａ〜ＤＲｆを有するビデオデータストリームＶＤＳａ〜ＶＤＳｆを生成可能な複数のビデオカメラ３ａ〜３ｆを備える。前記ビデオデータストリームＶＤＳａ〜ＶＤＳｆは、データネットワーク４を介してユーザー端末５に配信され、前記ユーザー端末５において、前記ビデオデータストリームＶＤＳａ〜ＶＤＳｆに基づくビデオＶａ〜Ｖｆが同時に出力される。定常稼働状態ＳＢＺ１又はＳＢＺ２において、ビデオＶａ〜ＶｆからビデオＶａ又はＶｂが選択される。選択ビデオＶａ又はＶｂは、非選択ビデオＶｂ〜Ｖｆ又はＶａ、Ｖｃ〜Ｖｆよりも高品質で出力される。前記設定デバイス１は、前記ビデオデータストリームＶＤＳａ〜ＶＤＳｆのデータレートＤＲａ〜ＤＲｆ設定用の設定値ＥＷａ〜ＥＷｆを生成し、前記設定値ＥＷａ〜ＥＷｆをビデオカメラ３ａ〜３ｆへ送信する。前記設定値ＥＷａ〜ＥＷｆは、ビデオＶａ又はＶｂのどちらが選択されているかについての情報ＩＮの関数、前記ビデオカメラ３ａ〜３ｆの数ＡＺの関数、及び、前記データネットワーク４の利用可能な合計データレートＧＤＲの関数として生成される。
【００５０】
前記ビデオカメラ３ａ−３ｆは、所謂ウェブカメラ３ａ−３ｆであり、具体的には統合されたビデオエンコーダを有するものであってもよい。それぞれのビデオエンコーダは、具体的には、Ｈ．２６３／Ｈ．２６４／Ｈ．２６５の規格に基づく圧縮ビデオデータストリームＶＤＳａ〜ＶＤＳｆを生成してもよい。前記データネットワーク４は、具体的には、インターネットプロトコルに基づくネットワーク４であってもよい。
【００５１】
前記ユーザー端末５は、具体的には、コンピュータ５であってもよく、例えばパーソナルコンピュータ又はタブレット型コンピュータであってもよい。
【００５２】
前記ユーザー端末５は、前記ビデオデータストリームＶＤＳａ〜ＶＤＳｆを復号化するための復号手段６を備えていてもよい。
【００５３】
ビデオＶａ〜Ｖｆは、共有ディスプレイ７に表示されてもよく、具体的には、コンピュータ画面７に表示されてもよい。しかし、前記ユーザー端末５は、前記ビデオＶａ〜Ｖｆが記憶及び／又は転送されることにより出力されるように構成されていてもよい。前記復号手段６は、ビデオ信号ＶＳＩＧによって前記ディスプレイ７を制御するように構成されていてもよい。
【００５４】
定常稼働状態ＳＢＺ１において、複数のビデオＶａ〜Ｖｆから、非選択ビデオＶｂ〜Ｖｆよりも高品質で出力、つまり、高品質で表示、記憶および／または転送されるビデオＶａが、全ての場合において選択されてもよい。図１は定常稼働状態ＳＢＺ１を示しており、ビデオカメラ３ａのビデオＶａが選択されている。前記高品質は、大量のピクセル数、色の数の多さ、及び／又は、高いリフレッシュレートによって実現してもよい。ここで、定常稼働状態ＳＢＺ１又はＳＢＺ２は、選択ビデオＶａの切り替えが行われていない稼動状態を意味する。
【００５５】
選択ビデオＶａの特定は、例えば、ユーザーインターフェース８、具体的にはコンピュータキーボード８でのユーザーアクションＢＢによって行われてもよい。前記ユーザーインターフェース８から操作コマンドＢＢが、前記復号手段６に送信されて、選択ビデオＶａを特定するようにしてもよい。しかし、ユーザー端末５が自動で選択ビデオＶａを判断するように構成することも可能である。例えば、選択ビデオＶａの判断を定期的に更新してもよく、イベント駆動的に行ってもよい。これは、無作為に発生してもよく、所定のパターンにもとづいて発生させてもよい。
【００５６】
前記データネットワーク４における利用可能な合計データレートＧＤＲは、前記ビデオデータストリームＶＤＳａ〜ＶＤＳｆ用に利用可能なデータレートを全て纏めたものである。これは、前記データネットワーク４がビデオカメラシステム２専用で使用されている間は一定だが、前記データネットワーク４を介して、前記ビデオカメラシステム２とは独立してデータが送信される場合に変化する。
【００５７】
前記設定デバイス１はハードウェア、及び／又は、ソフトウェアとして構成されてもよい。また、前記設定デバイス１は、特にユーザー端末５に統合されていてもよい。設定デバイス１を別のところに設けることも可能である。しかし、前記設定デバイス１は、ビデオデータストリームのデータレートＤＲａ〜ＤＲｆ用に設定値ＥＷａ〜ＥＷｆを生成、具体的には、当該設定値を算出可能であり、当該設定値をビデオカメラ３ａ−３ｆに送信可能であることが必須となる。
【００５８】
これにより、前記設定デバイス１はビデオＶａ〜Ｖｆに関して、ビデオデータストリームＶＤＳａ〜ＶＤＳｆのデータレートＤＲａ〜ＤＲｆを状況に合わせて適応させることができる。特に、選択ビデオＶａのビデオデータストリームＶＤＳａのデータレートＤＲａは、選択ビデオＶａに求められる高品質を確保するのに充分なデータレートが選択されてもよい。同時に、非選択ビデオＶｂ〜Ｖｆに関してビデオデータストリームのデータレートＤＲｂ〜ＤＲｆを低く選択してもよい。ビデオＶａ〜Ｖｆの選択情報ＩＮについての関数、現在のビデオカメラの数ＡＺの関数、データネットワーク４における利用可能な合計データレートＧＤＲの関数として、前記設定値ＥＷａ〜ＥＷｆを生成することにより、データネットワーク４の利用可能な合計データレートＧＤＲを特に効率的に利用することが可能になる。ビデオＶａ〜Ｖｆの選択情報ＩＮ、及び、現在のビデオカメラ３ａ−３ｆの数ＡＺは、例えば復号手段６から設定デバイス１へ送信されてもよい。
【００５９】
このことから明らかなように、ビデオデータストリームＶＤＳａ〜ＶＤＳｆの全てに同一のデータレートが設定される場合と比較して、ネットワーク４の合計データレートＧＤＲでのビデオカメラ３ａ〜３ｆの台数を増やすことが可能となる。更に、選択ビデオＶａは、常に高品質で出力可能である。一方、非選択ビデオＶｂ〜Ｖｆについては、ユーザーがどのビデオを選択ビデオＶａとして使用するかを決められるように、プレビュービデオＶａ〜Ｖｆとして使用できる程度の品質で出力してもよい。
【００６０】
本発明は、交通状況の監視、公共の場の監視や、スポーツイベントの送信などに利用されるビデオカメラシステム２のように、リアルタイムで使用可能なビデオカメラシステム２に適している。
【００６１】
さらに、本発明の好ましいさらなる発展形態では、前記設定デバイス１は前記設定値ＥＷａ〜ＥＷｆがデータネットワーク４を介して送信されるように構成されている。これにより、既存のインフラを利用して設定値ＥＷａ〜ＥＷｆを送信することが可能になり、前記ビデオカメラシステム２が容易に実現可能となる。しかし原理上、別の方法で前記設定デバイス１から前記設定値ＥＷａ〜ＥＷｆをビデオカメラ３ａ−３ｆに送信することも可能である。
【００６２】
さらに、本発明の好ましい発展形態において、前記データネットワーク４はＷＬＡＮ４である。ＷＬＡＮ  ４（Ｗｉｒｅｌｅｓｓ  Ｌｏｃａｌ  Ａｒｅａ  Ｎｅｔｗｏｒｋ）は、例えば、ＩＥＥＥ−８０２．１１系規格に準拠する無線ローカルエリア・ネットワーク４である。これにより、前記ビデオカメラシステム２をインストールする際に、前記ビデオデータストリームＶＤＳａ〜ＶＤＳｆを送信する高額なケーブルを不要とすることができる。ＷＬＡＮ４の合計データレートＧＤＲは限られているものの、本発明によれば複数のビデオカメラ３ａ〜３ｆの利用が可能になり、選択ビデオＶａが高品質で表示可能になる。
【００６３】
さらに、本発明の有益な発展形態において、前記設定デバイス１は、前記データネットワーク４における利用可能な合計データレートＧＤＲが経時的に検出可能であり、利用可能な合計データレートＧＤＲが変化すると、自動的に設定値ＥＷａ〜ＥＷｆが適応するように構成されている。前記設定値ＥＷａ〜ＥＷｆを利用可能な合計データレートＧＤＲに自動で適応させることにより、利用可能な合計データレートＧＤＲを超えてしまうことによりビデオＶａ〜Ｖｆの表示が妨げられることを防止でき、これによりビデオＶａ〜Ｖｆを常に、可能な限り最良の品質で表示することが可能となる。これを達成すべく、前記ユーザー端末５は、前記データネットワーク４から、利用可能な合計データレートＧＤＲに対応する分析信号ＡＮＳを受信して、利用可能な合計データレートＧＤＲを監視する手段９を備えていてもよい。
【００６４】
さらに、本発明の有益な発展形態において、前記設定デバイス１は前記ビデオカメラ３ａ−３ｆを共通の時間基準に同期させるように構成されていてもよい。このようにすることで、ビデオカメラ３ａ−３ｆは特定の期間提供される設定値ＥＷａ〜ＥＷｆを同時に利用でき、設定値ＥＷａ〜ＥＷｆを適応させる際に利用可能な合計データレートＧＤＲを超えないようにすることが可能となる。
【００６５】
また別の側面では上記目的は、設定可能なデータレートＤＲａ〜ＤＲｆを有するビデオデータストリームＶＤＳａ〜ＶＤＳｆを生成可能な複数のビデオカメラ３ａ〜３ｆを備えるビデオカメラシステム２によって達成可能である。前記ビデオデータストリームＶＤＳａ〜ＶＤＳｆは、データネットワーク４を介してユーザー端末５に配信され、前記ユーザー端末５において、前記ビデオデータストリームＶＤＳａ〜ＶＤＳｆに基づくビデオＶａ〜Ｖｆが同時に出力される。定常稼働状態ＳＢＺ１又はＳＢＺ２において、複数のビデオＶａ〜ＶｆからビデオＶａ又はＶｂが選択される。選択ビデオＶａ又はＶｂは、非選択ビデオＶｂ〜Ｖｆ又はＶａ、Ｖｃ〜Ｖｆよりも高品質で出力される。前記ビデオカメラシステム２は、設定デバイス１を備え、前記設定デバイス１は、前記ビデオデータストリームＶＤＳａ〜ＶＤＳｆのデータレートＤＲａ〜ＤＲｆ設定用の設定値ＥＷａ〜ＥＷｆを生成し、前記設定値ＥＷａ〜ＥＷｆをビデオカメラ３ａ〜３ｆへ送信する。前記設定値ＥＷａ〜ＥＷｆは、ビデオＶａ又はＶｂの選択情報ＩＮについての関数、前記ビデオカメラ３ａ〜３ｆの数ＡＺの関数、及び、前記データネットワーク４の利用可能な合計データレートＧＤＲの関数として生成される。
【００６６】
また別の側面では上記目的は、設定可能なデータレートＤＲａ〜ＤＲｆを有するビデオデータストリームＶＤＳａ〜ＶＤＳｆを生成可能な複数のビデオカメラ３ａ〜３ｆを備えるビデオカメラシステム２における、データレートの設定方法によって達成可能である。前記ビデオデータストリームＶＤＳａ〜ＶＤＳｆは、データネットワーク４を介してユーザー端末５に配信され、前記ユーザー端末５において前記ビデオデータストリームＶＤＳａ〜ＶＤＳｆに基づくビデオＶａ〜Ｖｆが同時に出力される。定常稼働状態ＳＢＺ１又はＳＢＺ２において、ビデオＶａ〜ＶｆからビデオＶａ又はＶｂが選択される。選択ビデオＶａ又はＶｂは、非選択ビデオＶｂ〜Ｖｆ又はＶａ、Ｖｃ〜Ｖｆよりも高品質で出力される。前記設定デバイス１は、前記ビデオデータストリームＶＤＳａ〜ＶＤＳｆのデータレートＤＲａ〜ＤＲｆ設定用の設定値ＥＷａ〜ＥＷｆを生成し、前記設定値ＥＷａ〜ＥＷｆをビデオカメラ３ａ〜３ｆへ送信する。前記設定値ＥＷａ〜ＥＷｆは、ビデオＶａ又はＶｂの選択情報ＩＮについての関数、前記ビデオカメラ３ａ〜３ｆの数ＡＺの関数、及び、前記データネットワーク４の利用可能な合計データレートＧＤＲの関数として生成される。
【００６７】
また、上記目的は、コンピュータ５又はプロセッサ上で実行されると本発明の方法を実行するコンピュータプログラムによって達成可能である。
【００６８】
図２は、前回の選択ビデオＶａから新たな選択ビデオＶｂへの切替処理ＷＶであって、残りのビデオＶｃ〜Ｖｆは短時間オフにする処理を含む設定デバイス１の操作手順の第一実施形態を示す図である。前記切替処理ＷＶの前に、前記設定デバイス１は第一定常稼働状態ＳＢＺ１であり、前記切替処理ＷＶの後に、第二定常稼働状態ＳＢＺ２になる。
【００６９】
さらに、本発明の好ましい発展形態において、前記設定デバイス１は、前記設定値ＥＷａ〜ＥＷｆが、前回の選択ビデオＶａから新たな選択ビデオＶｂへの切替処理ＷＶの間に生成される。この前記設定値ＥＷａ〜Ｅｗｆは、第一段階ＰＨ１では、前回の選択ビデオＶａ用の前記ビデオデータストリームＶＤＳａのデータレートＤＲａが維持され、新たな選択ビデオＶｂ用の前記ビデオデータストリームＶＤＳｂのデータレートＤＲｂが上げられ、残りのビデオＶｃ〜Ｖｆ用の前記ビデオデータストリームＶＤＳｃ〜ＶＤＳｆのデータレートＤＲｃ〜ＤＲｆが下げられ、第二段階ＰＨ２では、前回の選択ビデオＶａ用の前記ビデオデータストリームＶＤＳａのデータレートＤＲａが下げられ、新たな選択ビデオＶｂ用の前記ビデオデータストリームＶＤＳｂのデータレートＤＲｂが維持され、残りのビデオＶｃ〜Ｖｆ用の前記ビデオデータストリームＶＤＳｃ〜ＶＤＳｆのデータレートＤＲｃ〜ＤＲｆが上げられるように、生成される。
【００７０】
本発明の上記実施形態において、最も重要な点は、定常状態ＳＢＺ１から、前記第一段階ＰＨ１において、新たな選択ビデオＶｂ用のビデオデータストリームＶＤＳｂのデータレートＤＲｂを上昇させて、前記第一段階ＰＨ１の終わりに、前記新たな選択ビデオＶｂを、ユーザー端末５において新たな選択ビデオＶｂとして設定することである。また、第二段階において、設定値ＥＷａ〜ＥＷｆを新たな定常状態ＳＢＺ２に渡す。このようにして、前回の選択ビデオＶａから新たな選択ビデオＶｂに切り替えられた直後に、前記新たな選択ビデオＶｂが高品質で表示可能となる。残りのビデオＶｃ〜Ｖｆ、即ち、切り替えや変更の処理ＷＶに関係の無いビデオに関するビデオデータストリームＶＤＳｃ〜ＶＤＳｆのデータレートＤＲｃ〜ＤＲｆを減少させることにより、前記第一段階ＰＨ１において、実際に要求されるデータレートＶＤＲが利用可能な合計データレートＧＤＲを上回ることなく、前記新たな選択ビデオＶｂに関するビデオデータストリームＶＤＳｂのデータレートＤＲｂを上昇させることが可能になる。前回の選択ビデオＶａのデータレートＤＲａを減少させることにより、第二段階ＰＨ１において、残りのビデオＶｃ〜Ｖｆ用の前記ビデオデータストリームＶＤＳｃ〜ＶＤＳｆのデータレートＤＲｃ〜ＤＲｆを再度上昇させることにより、これらのビデオも可能な限り高品質で表示可能となる。
【００７１】
さらに、本発明の好ましい発展形態において、前記設定デバイス１は、前記第一段階ＰＨ１及び第二段階ＰＨ２の両方において、ビデオストリームＶＤＳａ〜ＶＤＳｆの全てのデータレートＤＲａ〜ＤＲｆの合計が、前記データネットワーク４の利用可能な合計データレートＧＤＲ以下となるように、前記設定値ＥＷａ〜ＥＷｆが生成されるように構成されている。ビデオストリームＶＤＳａ〜ＶＤＳｆの全データレートＤＲａ〜ＤＲｆの合計は、実際に要求されるデータレートＶＤＲに対応する。このようにして、例えばジッタや静止画等、ビデオの再生が妨げられることを回避することが可能となる。
【００７２】
さらに、本発明の好ましい発展形態において、前記設定デバイス１は、前記第一段階ＰＨ１において、残りのビデオＶｃ〜Ｖｆ用の前記ビデオデータストリームＶＤＳｃ〜ＶＤＳｆのデータレートＤＲｃ〜ＤＲｆがゼロになるように、前記設定値ＥＷａ〜ＥＷｆを生成するように構成されている。これにより、利用可能な合計データレートＧＤＲを超えること無く、前回の選択ビデオＶａに利用可能なデータレートＤＲａ、及び、新たな選択ビデオＶｂに利用可能なデータレートＤＲｂを最大化することが可能となる。
【００７３】
さらに、本発明の好ましい発展形態において、前記設定デバイス１は、選択されているビデオＶａ又はＶｂのビデオカメラ３ａ又は３ｂに関する設定値ＥＷａ又はＥＷｂが、利用可能な合計データレートＧＤＲの半分以下となるように、前記定常稼働状態ＳＺＢ１又はＳＺＢ２における前記設定値ＥＷａ〜ＥＷｆを生成するように構成されている。これによって、切替処理ＷＶにおいて、前回の選択ビデオＶａ及び新たな選択ビデオＶｂを、前回の選択ビデオＶａが先行する定常状態ＳＺＢ１で送信されていた際のデータレートＤＲａで同時に送信することが可能となるので、前回の選択ビデオＶａから新たな選択ビデオＶｂへの切替処理ＷＶにおいて、前記ビデオＶａ及びＶｂの表示品質が大きく変わることがなくなる。この場合、選択ビデオＶａに関するビデオデータストリームＶＤＳａのデータレートＤＲａをｈとし、データネットワーク４の利用可能な合計データレートＧＤＲをＤとすると、以下の式が適用される。
【００７４】
【数７】
2017535172.tif 000009
【００７５】
上記式に当てはめると、図２に示す実施形態における前記合計データレートＧＤＲは２９Ｍｂｉｔ／秒であり、前記第一定常稼働状態ＳＢＺ１で選択されていたビデオＶａのデータレートＤＲａは１４．５Ｍｂｉｔ／秒となる。同様に、上記式によれば、前記第二定常稼働状態ＳＢＺ２で選択されるビデオＶｂのデータレートＤＲｂは１４．５Ｍｂｉｔ／秒となる。
【００７６】
さらに、本発明の好ましい発展形態において、前記設定デバイス１は、選択されているビデオＶａ又はＶｂのビデオカメラ３ａ又は３ｂに関する設定値ＥＷａ又はＥＷｂが、そのビデオカメラ３ａ又は３ｂのビデオストリームＶＤＳａ又はＶＤＳｂの最大データレートが、利用可能な合計データレートＧＤＲの半分以下である限り、当該最大データレートとなるように、前記定常稼働状態ＳＺＢ１又はＳＺＢ２における前記設定値ＥＷａ〜ＥＷｆを生成するように構成されている。前記ビデオカメラのビデオデータストリームの前記最大データレートは、技術的に前記ビデオカメラが供給しうる限界となるデータレートである。これにより、選択ビデオは可能な限り最良の品質で表示可能となる。ビデオカメラのビデオストリームの最大データレートがｈmaxとした場合、以下の式が適用される。
【００７７】
【数８】
2017535172.tif 000010
【００７８】
しかしながら、図２に示す実施形態において、この条件は満たされておらず、従って上述の通り、データレートＤＲａ及びＤＲｂは、１４．５  Ｍｂｉｔ／秒となる。
【００７９】
図３は、前回の選択ビデオＶａから新たな選択ビデオＶｂへの切替処理ＷＶであって、残りのビデオＶｃ〜Ｖｆは中断すること無く表示される処理を含む設定デバイス１の操作手順の第二実施形態を示す。
【００８０】
さらに、本発明の好ましい発展形態において、前記設定デバイス１は、前記第一段階ＰＨ１において、残りのビデオＶｃ〜Ｖｆ用の前記ビデオデータストリームＶＤＳｃ〜ＶＤＳｆのデータレートＤＲｃ〜ＤＲｆがビデオカメラ３ｃ−３ｆのビデオデータストリームＶＤＳｃ〜ＶＤＳｆの最小データレートまで下げられるように、設定値ＥＷａ〜ＥＷｆを生成するように構成されている。前記ビデオデータストリームＶＤＳａ〜ＶＤＳｃの前記最小データレートは、技術的に前記ビデオカメラ３ａ−３ｆが供給しうる限界となる最小データレートである。これにより、一方では残りのビデオＶｃ〜Ｖｆが、切替処理ＷＶの間途切れることなく表示され、もう一方では前回の選択ビデオＶａ及び新たな選択ビデオＶｂに関するビデオデータストリームのデータレートＤＲａ及びＤＲｂを最大化することが可能となる。非選択ビデオカメラのデータレートをｐとし、前記ビデオカメラの最小データレートをｐminとした場合、以下の式が適用される。
【００８１】
【数９】
2017535172.tif 000011
【００８２】
図３に示す実施形態において、前記ビデオカメラ３ａ〜３ｆのデータレートは２５０  Ｋｂｉｔ／秒である。
【００８３】
さらに、本発明の好ましい発展形態において、前記設定デバイス１は、選択されているビデオＶａ又はＶｂのビデオカメラ３ａ又は３ｂに関する設定値ＥＷａ又はＥＷｂが、利用可能な合計データレートＧＤＲの半分と、前記ビデオカメラ３ａ又は３ｂのビデオデータストリームの最小データレートの半分に対して、現在の前記ビデオカメラ３ａ〜３ｆの数ＡＺから二を引いた数を乗算した積との間の差分以下となるように、前記定常稼働状態ＳＺＢ１又はＳＺＢ２における前記設定値ＥＷａ〜ＥＷｆを生成するように構成されている。これにより、前記切替処理ＷＶの間に残りのビデオＶｃ〜Ｖｆを途切れることなく表示させる場合に、確実に前記切替処理ＷＶの合計データレートＧＤＲを上回ることを防止できる。使用されるビデオカメラ３ａ〜３ｆの合計数ＡＺをｎとすると、以下の式が適用される。
【００８４】
【数１０】
2017535172.tif 000012
【００８５】
上記式に当てはめると、図３に示す実施形態における前記合計データレートＧＤＲは２９Ｍｂｉｔ／秒であり、前記第一定常稼働状態ＳＢＺ１で選択されていたビデオＶａのデータレートＤＲａは１４  Ｍｂｉｔ／秒となる。同様に、上記式によれば、前記第二定常稼働状態ＳＢＺ２で選択されるビデオＶｂのデータレートＤＲｂは１４  Ｍｂｉｔ／秒となる。
【００８６】
さらに、本発明の好ましい発展形態において、前記設定デバイス１は、選択されているビデオＶａ又はＶｂのビデオカメラ３ａ又は３ｂにおけるビデオストリームＶＤＳａ又はＶＤＳｂの最大データレートが、利用可能な合計データレートＧＤＲの半分と、前記ビデオカメラ３ａ〜３ｆのビデオデータストリームＶＤＳａ〜ＶＤＳｆの最小データレートの半分に対して、ビデオカメラ３ａ、３ｆの合計数ＡＺから二を引いた数を乗算した積との差分以下となる限り、選択されているビデオのビデオカメラ３ａ又は３ｂに関する設定値ＥＷａ又はＥＷｂが、当該最大データレートとなるように、前記定常稼働状態ＳＺＢ１又はＳＺＢ２における前記設定値ＥＷａ〜ＥＷｆを生成するように構成されている。これにより、切替処理において、選択ビデオの品質を最大化するとともに、利用可能な合計データレートを上回ることなく、残りのビデオを途切れることなく表示することが可能となる。以下の式が適用される。
【００８７】
【数１１】
2017535172.tif 000013
【００８８】
しかしながら、図３に示す実施形態において、上記条件は満たされておらず、従って上述の通り、データレートＤＲａ及びＤＲｂは、１４  Ｍｂｉｔ／秒となる。
【００８９】
さらに、本発明の好ましい発展形態において、前記設定デバイス１は、非選択ビデオカメラ３ｂ−３ｆ又は３ａ、３ｃ−３ｆの設定値が利用可能な合計データレートＧＤＲと選択されたビデオＶａ及びＶｂのビデオカメラ３ａ又は３ｂの設定値ＥＷａ又はＥＷｂとの差分を、現在のビデオカメラ３ａ〜３ｆの合計数ＡＺから一を引いた数で除算した商以下となるように、前記定常稼働状態ＳＺＢ１又はＳＺＢ２での設定値ＥＷａ〜Ｅｗｆを生成するように構成されている。これにより、第一定常稼働状態ＳＺＢ１において非選択のビデオＶｂ〜Ｖｆ、及び／又は、第二定常稼働状態ＳＺＢ２において非選択のビデオＶａ、Ｖｃ〜Ｖｆが、利用可能な合計データレートＧＤＲを上回ることなく、可能な限り最良の品質で出力可能となる。非選択ビデオカメラのデータレートをｐとした場合、以下の式が適用される。
【００９０】
【数１２】
2017535172.tif 000014
【００９１】
図３に示す実施形態において、前記第一定常稼働状態ＳＢＺ１において選択されていないビデオＶｂ〜ＶｆのデータレートＤＲｂ〜ＤＲｆ、及び／又は、前記第二定常稼働状態ＳＢＺ２において選択されていないビデオＶａ、Ｖｃ〜ＶｆのデータレートＤＲａ、ＤＲｖ〜ＤＲｆは３  Ｍｂｉｔ／秒である。
【００９２】
さらに、本発明の好ましい発展形態において、前記設定デバイス１は、前回の選択ビデオＶａから新たな選択ビデオＶｂへ切り替える処理ＷＶにおいて、前記第一段階ＰＨ１で、新たな選択ビデオＶｂ用のビデオデータストリームＶＤＳｂのデータレートＤＲｂが複数段階かけて上げられ、残りのビデオＶｃ〜Ｖｆ用の前記ビデオデータストリームＶＤＳｃ〜ＶＤＳｆのデータレートＤＲｃ〜ＤＲｆが複数段階かけて下げられ、第二段階ＰＨ２において、前回の選択ビデオＶａ用のビデオデータストリームＶＤＳａのデータレートＤＲａが複数段階かけて下げられ、残りのビデオＶｃ〜Ｖｆ用のビデオデータストリームＶＤＳｃ〜ＶＤＳｆのデータレートＤＲｃ〜ＤＲｆが複数段階かけて上げられるように、設定値ＥＷａ〜ＥＷｆを生成するように構成されている。これにより、前記残りのビデオＶｃ〜Ｖｆの表示品質は、切替処理までゆっくりと下げられ、切替処理の後ゆっくりと上げられる。従って、残りのビデオＶｃ〜Ｖｆの表示は人の目にとってより快適となる。
【００９３】
ライブシステムの前提条件は、カメラ側ビデオエンコーダであり、生成されたビデオストリームのデータレートをいくつかの定義可能な値の間で動的に変更することができることである。これは、品質パラメータ、解像度、またはさらなるパラメータ（例えば、より低いビットレート用のより長いＧＯＰ構造）の変化に影響されてもよい。加えて、複数のカメラは共通の時間基準に同期されてもよい。また、これはネットワークタイムプロトコル（参考文献［６］）等の標準化された方法により実施されてもよい。伝送チャネルにおいて、ビデオ伝送の最大データレートは予めＤと定義可能である。プレビューストリームｐminの最小データレートも把握可能である。前記データレートの値は、エンコーダの仕様によって定義されており、エンコーダレベル及び解像度に依存する。最大値としてエンコーダから提供されるデータレートｈmaxも把握可能である。前記データレートは、解像度及びレベル（参考文献［７］）によっては、Ｈ２６４で９６０  Ｍｂｉｔ／秒となることもある。システム全体のカメラの数はｎ≧２台となる。最初に、要求されるパラメータを、標準のプレビューデータレートｐ及びメインストリームｈのデータレートについて計算してもよい。
【００９４】
【数１３】
2017535172.tif 000015
【００９５】
これらの値は、伝送時に新たに決定して、現在のネットワーク状況に応じてシステムを適応させてもよい。
【００９６】
開始時の値が算出されると、現在メインストリームを伝送しようとしているカメラ３ａは受信機にデータレートｈでビデオデータの送信を開始する。更に、他のｎ−１台のカメラも受信機５にデータレートｐでの送信を行う。前記メインストリームが別のカメラ３ｂ−３ｆに切り替えられる場合、共通のブロードキャスティング方法でその旨を示す信号を全てのカメラに送信する。上記信号は、切替時間ｔｕを含んでおり、現時点ｔａ及び往復時間ｒを含む以下の関数が適用される。
【００９７】
【数１４】
2017535172.tif 000016
【００９８】
前記信号が受信されると、カメラ３ａ及び３ｂを除くｎ−２台のカメラ全てがデータレートをｐからｐminへ下げ始める。エンコーダに基づいた遅延を経て、カメラ３ｂは継続的にデータレートをｐからｈへと上げる。ここでのデータレートの調整は、ビデオエンコーダの再設定によって行われる。ビットレートの調整が一度の再設定で行えるのか複数回の再設定で行えるのかは、利用されるエンコーダによる。全てのカメラが目標のデータレートを達成すると、前記受信機がメインストリームを３ａから３ｂに切替可能となる。切替が行われると、さらに確認が全てのカメラに送信される。結果として、カメラ３ａが自身のデータレートを値ｐまで下げ、その他のカメラはカメラ３ｂを除いて全てデータレートを再度、値ｐまで上げる。この方法によれば、確実に最大利用可能なデータレートＤを上回る事態を回避し、カメラのストリームを切り替える際に品質の損失が発生しなくなる。また前記方法によれば、カメラの台数が多くても、比較的小さなデータレートのみの使用が可能となる。これにより、システムの大きさが変更可能になり、切替処理が現在行われていなければ、プレビューストリームも同時に可能な限り最良の品質で送信することが可能となる。
【００９９】
初めに述べた用に、カメラシステムでの最大利用可能なデータレートが２９  Ｍｂｉｔ／秒の無線ネットワークを基本とし、パラメータ  ｐminを２５０  Ｋｂｉｔ／秒とし、６台のカメラが使用される場合、以下の値が結果として得られる。
【０１００】
【数１５】
2017535172.tif 000017
【０１０１】
再度述べるが、図２では、切替処理が各カメラのデータレートとして示されている。ｔｕ＝５において、切替処理は初期状態にある。続いて、カメラ３ｃ〜３ｆがそれぞれのデータレートを徐々に下げていく。一単位時間遅れて、カメラ３ｂが自身のデータレートを上げる。ｔ＝１６において、前記切替処理が発生し、カメラ３ｂがメインストリームとして使用される。そしてカメラ３ｂが徐々に自身のデータレートを下げる一方、カメラ３ｃ〜３ｆは、少し一単位時間遅れて再度それぞれのデータレートを上げる。ｔ＝２７において、カメラのデータレートが目標のデータレートに到達する。
【０１０２】
切替処理においてエンコーダに基づく動的なビットレートの調整は、システム全体のサイズの柔軟性を高くする。全てのストリームが同一のデータレートで送信される場合、そのシステム内で使用できるカメラの数を少なくするか、全てのカメラが低いデータレートで送信を行う必要がある。カメラの数が少ないと、システムの応用分野が限られてしまい、低いデータレートは、出力されるビデオの品質が満足できるものにならなくなる。だが、本発明によって、出力されるストリームのデータレートは非常に高いレベルに維持される一方、プレビュー用のストリームも許容可能な品質で表示される。ユーザーは、切替処理でのみ、プレビューの品質に損失が発生することを許容すればよい。
【０１０３】
[参照符号]
１  設定デバイス
２  ビデオカメラシステム
３  ビデオカメラ
４  データネットワーク
５  ユーザー端末
６  復号手段
７  表示装置
８  ユーザーインターフェース
９  利用可能な合計データレートを監視する手段
１０      同期手段
ＶＤＳ    ビデオデータストリーム
ＤＲ      データレート
Ｖ  ビデオ
ＳＢＺ１  第一定常稼働状態
ＳＢＺ２  第二定常稼働状態
ＥＷ      設定値
ＩＮ      情報
ＡＺ      現在のビデオカメラの数
ＧＤＲ    利用可能な合計データレート
ＶＳＩＧ  ビデオ信号
ＺＳ      同期信号
ＢＢ      操作コマンド
ＡＮＳ    解析信号
ＷＶ      切替処理
ＰＨ１    第一段階
ＰＨ２    第二段階
ＶＤＲ    要求されるデータレート
【０１０４】
[参考文献]
［１］    ｈｔｔｐ：／／ｗｗｗ．ｅｌｅｋｔｒｏｎｉｋ−ｋｏｍｐｅｎｄｉｕｍ．ｄｅ／ｓｉｔｅｓ／ｎｅｔ／０９０７０５１．ｈｔｍ
［２］    ｈｔｔｐ：／／ｅｎ．ｗｉｋｉｐｅｄｉａ．ｏｒｇ／ｗｉｋｉ／Ａｄａｐｔｉｖｅ＿ｂｉｔ  ｒａｔｅ＿ｓｔｒｅａｍｉｎｇ
［３］    ＵＳ８，４５１，９１０Ｂ１
［４］    ＥＰ  ２  １７１  ９２７  Ｂ１
［５］    ＵＳ  ２０１０／０１５８１０１Ａ
［６］    ｈｔｔｐ：／／ｄｅ．ｗｉｋｉｐｅｄｉａ．ｏｒｇ／ｗｉｋｉ／Ｎｅｔｗｏｒｋ＿Ｔｉｍｅ＿Ｐｒｏｔｏｃｏｌ
［７］    ｈｔｔｐ：／／ｄｅ．ｗｉｋｉｐｅｄｉａ．ｏｒｇ／ｗｉｋｉ／Ｈ２  ４＃Ｌｅｖｅｌ
【図１】
2017535172.tif 000018
【図２】
2017535172.tif 000019
【図３】
2017535172.tif 000020
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えるビデオカメラシステム（２）のデータレート（ＤＲａ〜ＤＲｆ）を設定する設定デバイスであって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、前記設定デバイス（１）は、前記ビデオデータストリーム（ＶＤＳａ〜ＶＤＳｆ）のデータレート（ＤＲａ〜ＤＲｆ）を設定するための設定値（ＥＷａ〜ＥＷｆ）を生成して、前記設定値（ＥＷａ〜ＥＷｆ）をビデオカメラ（３ａ〜３ｆ）へ送信するように構成され、前記設定値（ＥＷａ〜ＥＷｆ）は、ビデオ（Ｖａ又はＶｂ）の選択情報（ＩＮ）についての関数、前記ビデオカメラ（３ａ〜３ｆ）の台数（ＡＺ）についての関数、及び、前記データネットワーク（４）の利用可能な合計データレート（ＧＤＲ）についての関数として生成され、前記設定デバイス（１）は、前記データネットワーク（４）の利用可能な合計データレート（ＧＤＲ）が経時的に検出可能であり、利用可能な合計データレート（ＧＤＲ）が変化すると、自動的に設定値（ＥＷａ〜ＥＷｆ）が適応するように構成されていることを特徴とする設定デバイス。
【請求項２】
前記設定デバイス（１）は、データネットワーク（４）を介して前記設定値（ＥＷａ〜ＥＷｆ）の送信を行うように構成されていることを特徴とする前の請求項に記載の設定デバイス。
【請求項３】
前記データネットワーク（４）は、ＷＬＡＮ  （４）であることを特徴とする前の請求項の何れかに記載の設定デバイス。
【請求項４】
前記設定デバイス（１）は前記ビデオカメラ（３ａ−３ｆ）を共通の時間基準に同期させるように構成されていることを特徴とする前の請求項の何れかに記載の設定デバイス。
【請求項５】
前記設定デバイス（１）は、前回の選択ビデオ（Ｖａ）から新たな選択ビデオ（Ｖｂ）へ切り替える処理（ＷＶ）において、第一段階（ＰＨ１）では、前回の選択ビデオ（Ｖａ）に関して前記ビデオデータストリーム（ＶＤＳａ）のデータレート（ＤＲａ）が維持され、新たな選択ビデオ（Ｖｂ）に関して前記ビデオデータストリーム（ＶＤＳｂ）のデータレート（ＤＲｂ）が上昇し、残りのビデオ（Ｖｃ〜Ｖｆ）に関して前記ビデオデータストリーム（ＶＤＳｃ〜ＶＤＳｆ）のデータレート（ＤＲｃ〜ＤＲｆ）が減少し、第二段階（ＰＨ２）では、前回の選択ビデオ（Ｖａ）に関してビデオデータストリーム（ＶＤＳａ）のデータレート（ＤＲａ）が減少し、新たな選択ビデオ（Ｖｂ）に関して前記ビデオデータストリーム（ＶＤＳｂ）のデータレート（ＤＲｂ）が維持され、残りのビデオ（Ｖｃ〜Ｖｆ）に関して前記ビデオデータストリーム（ＶＤＳｃ〜ＶＤＳｆ）のデータレート（ＤＲｃ〜ＤＲｆ）が上昇するように設定値（ＥＷａ〜ＥＷｆ）を生成することを特徴とする前の請求項の何れかに記載の設定デバイス。
【請求項６】
前記設定デバイス（１）は、前回の選択ビデオ（Ｖａ）から新たな選択ビデオ（Ｖｂ）へ切り替える処理（ＷＶ）において、第一段階（ＰＨ１）では、新たな選択ビデオ（Ｖｂ）に関してビデオデータストリーム（ＶＤＳｂ）のデータレート（ＤＲｂ）が複数段階かけて上昇し、残りのビデオ（Ｖｃ〜Ｖｆ）に関してビデオデータストリーム（ＶＤＳｃ〜ＶＤＳｆ）のデータレート（ＤＲｃ〜ＤＲｆ）が複数段階かけて減少し、第二段階（ＰＨ２）では、前回の選択ビデオ（Ｖａ）に関してビデオデータストリーム（ＶＤＳａ）のデータレート（ＤＲａ）が複数段階かけて減少し、残りのビデオ（Ｖｃ〜Ｖｆ）に関してビデオデータストリーム（ＶＤＳｃ〜ＶＤＳｆ）のデータレート（ＤＲｃ〜ＤＲｆ）が複数段階かけて上昇するように、設定値（ＥＷａ〜ＥＷｆ）を生成するように構成されていることを特徴とする前の請求項の何れかに記載の設定デバイス。
【請求項７】
前記設定デバイス（１）は、ビデオストリーム（ＶＤＳａ〜ＶＤＳｆ）全てのデータレート（ＤＲａ〜ＤＲｆ）の合計が、データネットワーク（４）の利用可能な合計データレート（ＧＤＲ）以下となるように、第一段階（ＰＨ１）及び第二段階（ＰＨ２）の両方における、設定値（ＥＷａ〜ＥＷｆ）を生成するように構成されていることを特徴とする請求項５又は６に記載の設定デバイス。
【請求項８】
前記設定デバイス（１）は、前記残りのビデオ（Ｖｃ〜Ｖｆ）に関するビデオデータストリーム（ＶＤＳｃ〜ＶＤＳｆ）のデータレート（ＤＲｃ〜ＤＲｆ）が、第一段階（ＰＨ１）において、ゼロとなるように、設定値（ＥＷａ〜ＥＷｆ）を生成するように構成されていることを特徴とする請求項５〜７に記載の設定デバイス。
【請求項９】
前記設定デバイス（１）は、選択されているビデオ（Ｖａ又はＶｂ）のビデオカメラ（３ａ又は３ｂ）に関する設定値（ＥＷａ又はＥＷｂ）が、利用可能な合計データレート（ＧＤＲ）の半分以下となるように、定常稼働状態（ＳＢＺ１又はＳＢＺ２）における設定値（ＥＷａ〜ＥＷｆ）を生成するように構成されていることを特徴とする前の請求項のいずれかに記載の設定デバイス。
【請求項１０】
前記設定デバイス（１）は、選択されているビデオ（Ｖａ又はＶｂ）のビデオカメラ（３ａ又は３ｂ）に関する設定値（ＥＷａ又はＥＷｂ）が、そのビデオカメラ（３ａ又は３ｂ）のビデオストリーム（ＶＤＳａ又はＶＤＳｂ）の最大データレートが利用可能な合計データレート（ＧＤＲ）の半分以下である限り、当該最大データレートとなるように、定常稼働状態（ＳＢＺ１又はＳＢＺ２）における設定値（ＥＷａ〜ＥＷｆ）を生成するように構成されていることを特徴とする前の請求項のいずれかに記載の設定デバイス。
【請求項１１】
前記設定デバイス（１）は、前記残りのビデオ（Ｖｃ〜Ｖｆ）に関するビデオデータストリーム（ＶＤＳｃ〜ＶＤＳｆ）のデータレート（ＤＲｃ〜ＤＲｆ）が、前記第一段階（ＰＨ１）において、ビデオカメラ（３ｃ−３ｆ）のビデオデータストリーム（ＶＤＳｃ〜ＶＤＳｆ）の最小データレートまで減少するように設定値（ＥＷａ〜ＥＷｆ）を生成するように構成されていることを特徴とする請求項５〜７に記載の設定デバイス。
【請求項１２】
前記設定デバイス（１）は、選択されているビデオ（Ｖａ又はＶｂ）のビデオカメラ（３ａ又は３ｂ）に関する設定値（ＥＷａ又はＥＷｂ）が、利用可能な合計データレート（ＧＤＲ）の半分と、前記ビデオカメラ（３ａ又は３ｂ）のビデオストリームの最小データレートの半分に対して、現在のビデオカメラ（３ａ〜３ｆ）の合計台数（ＡＺ）から二を引いた数を乗算した積との間の差分以下となるように、定常稼働状態（ＳＢＺ１又はＳＢＺ２）における設定値（ＥＷａ〜ＥＷｆ）を生成するように構成されていることを特徴とする前の請求項の何れかに記載の設定デバイス。
【請求項１３】
前記設定デバイス（１）は、選択されているビデオ（Ｖａ又はＶｂ）におけるビデオストリーム（ＶＤＳａ又はＶＤＳｂ）の最大データレートが、利用可能な合計データレート（ＧＤＲ）の半分と、前記複数のビデオカメラ（３ａ〜３ｆ）のビデオデータストリーム（ＶＤＳａ又はＶＤＳｆ）の最小データレートの半分に対して、現在のビデオカメラ（３ａ、３ｆ）の合計台数（ＡＺ）から二を引いた数を乗算した積との間の差分以下となる限り、選択されているビデオのビデオカメラ（３ａ又は３ｂ）に関する設定値（ＥＷａ又はＥＷｂ）が、当該最大データレートとなるように、定常稼働状態（ＳＢＺ１）又は（ＳＢＺ２）における設定値（ＥＷａ〜ＥＷｆ）を生成するように構成されていることを特徴とする前の請求項の何れかに記載の設定デバイス。
【請求項１４】
前記設定デバイス（１）は、非選択ビデオカメラ（３ｂ−３ｆ又は３ａ、３ｃ−３ｆ）の設定値が、利用可能な合計データレート（ＧＤＲ）と選択されたビデオ（Ｖａ及びＶｂ）のビデオカメラ（３ａ又は３ｂ）の設定値（ＥＷａ又はＥＷｂ）との差分を、現在のビデオカメラ（３ａ〜３ｆ）の合計台数（ＡＺ）から一引いた数で除算した商以下となるように、定常稼働状態（ＳＢＺ１又はＳＢＺ２）における設定値（ＥＷａ〜ＥＷｆ）を生成するように構成されていることを特徴とする前の請求項の何れかに記載の設定デバイス。
【請求項１５】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えたビデオカメラシステムであって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、前記ビデオカメラシステム（２）は、前記ビデオデータストリーム（ＶＤＳａ〜ＶＤＳｆ）のデータレート（ＤＲａ〜ＤＲｆ）を設定するための設定値（ＥＷａ〜ＥＷｆ）を生成し、前記設定値（ＥＷａ〜ＥＷｆ）をビデオカメラ（３ａ〜３ｆ）へ送信するように構成された設定デバイス（１）をさらに備えており、前記設定値（ＥＷａ〜ＥＷｆ）は、ビデオ（Ｖａ又はＶｂ）の選択情報（ＩＮ）についての関数、前記ビデオカメラ（３ａ〜３ｆ）の台数（ＡＺ）についての関数、及び、前記データネットワーク（４）の利用可能な合計データレート（ＧＤＲ）についての関数として生成され、前記設定デバイス（１）は、前記データネットワーク（４）の利用可能な合計データレート（ＧＤＲ）が経時的に検出可能であり、利用可能な合計データレート（ＧＤＲ）が変化すると、自動的に設定値（ＥＷａ〜ＥＷｆ）が適応するように構成されていることを特徴とするビデオカメラシステム。
【請求項１６】
設定可能なデータレート（ＤＲａ〜ＤＲｆ）を有するビデオデータストリーム（ＶＤＳａ〜ＶＤＳｆ）を生成可能な複数のビデオカメラ（３ａ〜３ｆ）を備えるビデオカメラシステム（２）のデータレート（ＤＲａ〜ＤＲｆ）の設定方法であって、前記ビデオデータストリーム（ＶＤＳａ〜ＶＤＳｆ）は、データネットワーク（４）を介してユーザー端末（５）に配信され、前記ユーザー端末（５）において、前記ビデオデータストリーム（ＶＤＳａ〜ＶＤＳｆ）に基づくビデオ（Ｖａ〜Ｖｆ）が同時に出力され、定常稼働状態（ＳＢＺ１又はＳＢＺ２）において、前記複数のビデオ（Ｖａ〜Ｖｆ）から或るビデオ（Ｖａ又はＶｂ）が選択され、選択ビデオ（Ｖａ又はＶｂ）は、非選択ビデオ（Ｖｂ〜Ｖｆ又はＶａ、Ｖｃ〜Ｖｆ）よりも高品質で出力され、設定デバイス（１）を利用して前記ビデオデータストリーム（ＶＤＳａ〜ＶＤＳｆ）のデータレート（ＤＲａ〜ＤＲｆ）を設定するための設定値（ＥＷａ〜ＥＷｆ）を生成し、前記設定値（ＥＷａ〜ＥＷｆ）をビデオカメラ（３ａ〜３ｆ）へ送信し、前記設定値（ＥＷａ〜ＥＷｆ）は、ビデオ（Ｖａ又はＶｂ）の選択情報（ＩＮ）についての関数、現在のビデオカメラ（３ａ〜３ｆ）の台数（ＡＺ）の関数、及び、前記データネットワーク（４）の利用可能な合計データレート（ＧＤＲ）の関数として生成され、前記設定デバイス（１）は、前記データネットワーク（４）の利用可能な合計データレート（ＧＤＲ）が経時的に検出可能であり、利用可能な合計データレート（ＧＤＲ）が変化すると、自動的に設定値（ＥＷａ〜ＥＷｆ）が適応するように構成されていることを特徴とするデータレートの設定方法。
【請求項１７】
コンピュータ又はプロセッサ上で実行されると、前の請求項に記載の方法を行うコンピュータプログラム。
【国際調査報告】
2017535172.tif 000021
2017535172.tif 000022
2017535172.tif 000023
2017535172.tif 000024